(57)【要約】【課題】  降雪地、非降雪地を問わず耐用年数を落とすことなく、菱葺き屋根に用いる板材の成形コストおよび施工コストを低減する。【解決手段】  上段の屋根材を重ね合わせるための桟部１１と、露出部１４とからなり、露出部は、上段の屋根材によって桟部が被覆されたときに、菱葺きの外観を呈する複数の略方形部１６を備える。複数の略方形部もつ長尺の屋根材となるため自重が増し、これらを重ね合わせることでハゼの係合による連結に遜色のない仕上がりを得る。ハゼ折りの必要がないため製造コストを低減でき、釘打ちなどで簡単に施工できるため作業効率が向上する。方形部に突起を設けると積雪に対処することが出来る。【選択図】    図１
2005188068.tif 000002
【特許請求の範囲】
【請求項１】
上段の屋根材を重ね合わせるための桟部と、露出部とからなり、
前記露出部は、上段の屋根材によって桟部が被覆されたときに、菱葺きの外観を呈する複数の略方形部を備えることを特徴とする菱葺き屋根材。
【請求項２】
請求項１記載の露出部は、適宜形状の複数の突起部を備えることを特徴とする菱葺き屋根材。
【請求項３】
請求項２記載の突起部は、高さを略同一に揃えることを特徴とする菱葺き屋根材。
【請求項４】
請求項２または請求項３記載の突起部は、方形部の端面に略平行となる長手部を有する形状とすることを特徴とする菱葺き屋根材。
【発明の詳細な説明】
【技術分野】
【０００１】
本発明は、屋根を葺くための板材に係り、とくに菱葺き屋根に用いる板材に関する。
【背景技術】
【０００２】
屋根を葺くための屋根葺き材としては、各種の瓦のほか、板材として金属製の板材や肉薄の石材が用いられる。瓦は一般に全体形状が湾曲しているが、トタン板のよう屋根用の板材は、ハゼ折りしている端縁を除いては湾曲部も突起部もなく全体に平滑な形状を呈する。
【０００３】
従来、いわゆる菱葺き屋根に適用するための板材、とくに金属製の板材は、図６に示すように、略方形に成形した屋根板１のうち、上側の二つの縁部に上折りしたハゼ２を形成し、下側の二つの縁部に下折りしたハゼ３をもつように成形する。そして、図７に示すように、上下方向各段の屋根板１の左右の角部を軒または棟と平行に配列し、上下各段の屋根板１の下の角部を軒または棟と垂直となる方向に配しつつ、ハゼ２、３を噛み合わせる。上下各段の屋根板１の上の角部は、上段の屋根板（１）が上に被さるため外部には露出しない。全体の外観形状としては、屋根材１の四頂点が軒または棟との関係で垂直／平行に配され、各屋根材１が菱形に見えるようになる。
【０００４】
このような屋根用の板材は、従来から端縁にハゼ（２、３）を設けて上下の板材のハゼを係合させつつ組み合わせて配置するのが一般である。例えば、特開２００２−００４５１０号公報記載の屋根材である。
【特許文献１】特開２００２−００４５１０号
【発明の開示】
【発明が解決しようとする課題】
【０００５】
問題は、ハゼをもつ菱葺き屋根材は、成形コストが高くなり、また耐用年数も短い点にある。ハゼ折りを行うためには、板材の肉厚を出来るだけ薄くすることが必要となる一方、板材の肉厚をあまり大きくできないため、ハゼ折りした箇所から発錆や金属腐食などの劣化が進行するからである。
【０００６】
また、菱葺き用の屋根材は、棟や軒や破風に平行な長尺の板材を用いる場合と異なり、外観上の美的な品質を保持する必要から、板材そのものの寸法精度、つまり各頂点の位置の精度を高く求められる。可能な限り誤差を少なくする必要があるため、ハゼ折りに要する技術的な寸法精度の高さは他の屋根葺き材とは比較にならない。こういう事情があるため、外観上は美しく見える菱葺き屋根も、施工コストの関係で容易に採用できない難点がある。とくに降雪地では、雪圧によるハゼ部分の劣化の問題があるため、施主が菱葺き屋根を希望しても、なかなか採用できない事情があった。
【０００７】
そこで本発明の目的は、降雪地においても耐用年数を落とすことなく、菱葺き屋根に用いる板材の成形コストおよび施工コストを格段に軽減可能とすることにある。
【課題を解決するための手段】
【０００８】
前記目的を達成するため、本発明に係る菱葺き屋根材は、上段の屋根材を重ね合わせるための桟部と、露出部とからなり、前記露出部は、上段の屋根材によって桟部が被覆されたときに、菱葺きの外観を呈する複数の略方形部を備えるものとする（請求項１）。
【０００９】
かかる構成によれば、複数の略方形部もつ長尺の屋根材とする結果として、屋根材の自重を確実に増大させることが出来る。これを上下段に重ね合わせることで、ハゼの係合による連結に遜色のない屋根材の収まり（配設したときの安定強度）を得る。屋根材は、横に長尺であっても縦に長尺であっても良い。一枚パネルで形成することが望ましい。層状パネルでも良い。
【００１０】
このため、屋根材そのものには特にハゼを形成する必要はない。適宜の固定方式、例えば釘による固定など簡易な配設工法を採用できるため、施工コストを軽減し、施工時間を短縮することが出来る。
【００１１】
また、ハゼ折りの必要がないため、成形コストを低減し、折曲形成に伴う金属露出を防止して長期にわたって発錆を防止し、屋根材の経年劣化を抑制することが出来る。同時に、ハゼ折りの必要がないことから、屋根材の肉厚を大きく設定でき、各種の素材、例えば重厚感のある金属素材や石質系素材を使用することが可能となる。金属素材でいえば、例えば比重の高い銅も採用可能となり、外観品質を高める自由度が高まる。
【００１２】
前記露出部は、適宜形状の複数の突起部を備える場合があり（請求項２）、また突起部の高さを略同一に揃える場合がある（請求項３）。
【００１３】
露出部に突起を設けると、主として降雪地における落雪の促進または抑制のコントロールが可能となる。落雪を促進させるには、請求項４に記載するように、方形部の端面に略平行となる長手部を有する突起を設ける。この突起により、屋根材の上に積もった雪は沈降時に分断作用を受け、分断された雪の層は屋根の傾斜による重力作用によって自然落下を呈することになる。落雪を抑制するには、軒または棟に平行な突起、つまり方形部の端面に対して約４５度の角度をもつ長手部を設ける。屋根雪は、軒（棟）に対して垂直方向に動こうとするから、このような突起を設けると、落下方向への動きを制限することが出来る。また突起によりパネル強度が高まる。
【００１４】
請求項２〜４の突起は、降雪地ではない地域に適用する屋根材としても効果的な機能をもつ。突起を設けることによって、屋根材を二重構造とすることが出来るからである。
【００１５】
屋根材は、瓦葺きにしてもトタン葺きにしても、従来はひとつの屋根材がそのまま表面材であった。しかし屋根材に突起を設け、請求項３のように突起の高さを揃えると、葺いた屋根材の上にさらに屋根材を葺くことが可能となる。屋根材は二重構造にする必要がないと考えられがちであるが、そうではない。家屋の屋根は、美観上とくに目立つ場所である。屋根材を変えることによって住宅の外観品質が一変する。屋根材を二重構造とすれば、下層の屋根材に対する降雪や風雨の影響は殆どなく、従って居住性の品質は高く保持されたままで、随時、表面（上層）の屋根材を葺き替えることによって、まったく新しい美観品質をもった住宅にリフォームしなおすことが出来る。本発明（請求項１）に係る屋根材は、金属、石質、樹脂、木質など材質を問わず、またハゼ折りの必要もないから、二重構造の場合でなくても、好みに応じた任意の外観をもつ屋根材を適宜使用することが出来る。
【発明の効果】
【００１６】
本発明に係る菱葺き屋根材によれば、降雪地、非降雪地を問わず耐用年数を落とすことなく、菱葺き屋根に用いる板材の成形コストおよび施工コストを確実に低減することが出来る。
【発明を実施するための最良の形態】
【００１７】
図１は、本発明に係る菱葺き屋根材を例示するものである。この屋根材１０は、上段に配する屋根材（１０）を重ね合わせるための桟部１１と、露出部１４とからなっており、露出部１４は、上段の屋根材（１０）によって桟部１１が被覆されたときに、菱葺きの外観を呈する複数の方形部１６を備える。また、方形部１６の表面には、突起部２１を設ける。
【００１８】
棟（軒）に平行に設ける方形部１６の数は、家屋の屋根形状等に応じて適宜設定する。方形部１６の左右の端末は、破風に沿った葺き板構成となるよう、略中央部で切断することがある。
【００１９】
桟部１１は、方形部１６の上端縁に連設する。屋根材１０は、桟部１１に釘を打ち込むなど、適宜の固定方式をとるが、外部に露出している方形部１６には釘その他の固定金具を使用することは好ましくない。そこで、上段に配する屋根材（１０）の重みで下段に配する屋根材１０の動きを抑えることが出来る程度に、桟部１１の上下寸法を大きく設定することが望ましい。本実施形態に係る屋根材１０の桟部１１は、方形部１６の一辺の長さ（Ｌ１）の１／２の寸法を設けてある。この実施形態では、方形部１６の端縁と桟部１１の端縁を平行に設けてあるが、桟部１１は上段の屋根材（１０）によって被覆される部分であるため、必ずしも桟部１１の上縁の形状は直線とする必要がない。
【００２０】
方形部１６の表面に設ける突起部２１は、好ましくは、方形部１６の端縁に平行な長手部（または配列形状）をもつようにする。また好ましくは複数配する。この実施形態では、突起部２１の形状を細長い長方形として、各突起部２１の長手部が方形部１６の端縁に略平行となるようにしてある。
【００２１】
屋根材１０の肉厚は、例えば０．６〜１．６ｍｍ程度とする。本実施形態のように方形部１６の表面に突起部２１を成形する場合は、０．８ｍｍ以上の肉厚とすることが望ましい。
【００２２】
図２は、屋根材１０を用いて傾斜屋根を葺く場合を例示するものである。最下段の屋根材１０−１は、軒に沿った配設を行うために、方形部１６を略中間で左右方向に切除してある。作業の簡便のためには屋根材１０の生産工場において予め切断加工しておくことが望ましいが、現場で切断しても良い。なお、最下段の屋根材１０−１を得るために屋根材１０を中央部で左右方向に切断しても、残余の部材は、最上段の屋根材（１０）として用いることが出来る。
【００２３】
最下段の屋根材１０−１の桟部１１−１の上には、下から二段目の屋根材１０−２の方形部１６−２を重畳させる。下から二段目の屋根材１０−２の桟部１１−２には、下から三段目の屋根材１０−３の方形部１６−３が重畳する。各屋根材１０−１、１０−２、１０−３は、各桟部１１−１、１１−２、１１−３に適宜本数の釘を打てば確実に固定が出来る。釘以外の固定金具を用いても良い。
【００２４】
こうして順次屋根材１０を配設固定して積み上げてゆくと、図３に示すような菱葺き屋根が完成する。外観は従来の屋根材を用いたものと遜色なく、しかもハゼによる係合をとらないため、施工速度は格段に向上する。また熟練者によらなくても高品位の外観品質を得ることが出来る。
【００２５】
本実施形態に係る屋根材１０は、方形部１６の表面に突起部２１を備えるため、降雪地では、突起部２１が屋根材１０に積もった雪を切断し、屋根雪の効果的な落雪現象に寄与する。屋根材１０に積もる雪は、突起部２１がなければ全体が一個のかたまりとなるため、外気温に伴って自然落下するだけである。このときの外気の温度条件は、かなり高い（摂氏３〜５℃程度）。
【００２６】
一方、突起部２１を設けると、外気温の上昇に伴う雪の沈降力によって雪のかたまりは複数に分断され、外気温が低くても自然落下が生じやすい状態となる。冬山の雪崩が起きる現象と同じであり、雪の沈降現象を利用して雪を小さく分断すれば、外気温の上昇を待たずに積雪を屋根から自然落下させることが出来るわけである。
【００２７】
図４は、突起部２１を備える屋根材１０の上に、上層の屋根材３０を設ける場合を例示するものである。この場合は、突起部２１の高さを略同一に揃え、上層の屋根材３０の下面と突起部２１の上面との間に隙間が生じないようにしておくことが望ましい。このように屋根材１０、３０を二重構造とすることにより、屋根の表面にあらわれる上層の屋根材３０を容易に葺き替えることが出来る。上層の屋根材３０は、下層の屋根材１０と同様に適宜の固定材、例えば釘を用いて固定することが出来る。上層の屋根材３０は、降雪地でない限り突起部２１を設ける必要はない。
【００２８】
屋根材１０、３０を上下二重に葺いた場合、下層の屋根材１０は風雨に晒されないため長く本来的な機能を保証でき、野地板も劣化しない。この結果、風雨や積雪に晒される上層の屋根材３０を、適当な時期に、好ましい材質のものに簡単に葺き替えすることが可能となり、住宅の外観品質を簡易なリフォーム施工によって向上させることが出来る。野地板がほとんど劣化しないため、住宅の耐用年数も格段に向上する。
【００２９】
また、屋根材１０、３０を二重構造とすることにより、小屋裏の断熱性能や遮音性能が向上し、住宅の居住性を確実に向上させることが出来る。
【００３０】
なお、本発明に係る屋根材は、前記説明のものに限定されない。例えば、降雪地において積雪を小さく分断するには、突起部２１は、屋根の傾斜角度や敷地面積等に応じて適宜設定する。雪の沈降現象を利用して自然落下を促進するためには、分断させた雪片に働く重力作用と、分断の程度（突起部２１の設置密度）とを勘案して設計すれば良いが、降雪地では、突起部２１は雪止めとしての機能も期待されることがあるため、突起部２１の平面形状は、敷地と軒の位置関係や施主が希望するデザイン形状などを考慮する必要がある。
【００３１】
想定できる突起部２１の形状を、図５（ａ）〜（ｉ）として例示する。しかし、これらもあくまで例示である。施主の希望する突起部２１のデザインは、各種の突起の組み合わせによって自由に設計できるからである。概して云えば、突起部２１に棟や軒に平行な長手部を設ける場合は雪止めの作用を加味したものであり、突起部２１に棟や軒に垂直な長手部を設ける場合は落雪の促進を重視したものである。方形部１６の端縁に平行な長手部を設ける場合は、ある程度の雪止め効果をもたせながら落雪の促進を図る折衷型である。突起部２１は、方形部１６の全体に設ける必要はない。例えば図５（ａ）に示すように、方形部１６の中央より下方にのみ設けても良い。これは、屋根に積もる雪の想定量と想定しうる外気温の関係、つまり現場の自然環境に応じて決定すべきことである。
【００３２】
突起部２１は、各方形部１６をすべて同じ形状としても良いし、各方形部１６の突起部２１をまちまちに設計しても良い。同種系統の形状を組み合わせる場合には、例えば図１に示すように、下段の屋根材１０−１と二段目の屋根材１０−２で、方形部（１６）の突起部（２１）の長手方向の向きを千鳥形状に配列してあるように、上下の屋根材（１０）においてデザインパターンを垂直反転させることが望ましい。雪の分断と雪止めの相乗効果を奏するからである。
【図面の簡単な説明】
【００３３】
【図１】実施形態に係る菱葺き屋根材を例示する図である。
【図２】図１の屋根材を用いて傾斜屋根を葺く場合を軒部分で例示する図である。
【図３】図１の屋根材を用いて完成させた屋根の外観を例示する図である。
【図４】図１の屋根材を用いて二重構造とする場合を例示する断面図である。
【図５】実施形態に係る突起部の各種のパターンを例示する図である。
【図６】従来の菱葺き屋根材を例示する図である。
【図７】図６に示す菱葺き屋根材の組み合わせを例示する図である。
【符号の説明】
【００３４】
１０、３０  屋根材
１１  桟部
１４  露出部
１６  方形部
２１  突起部
【図１】
2005188068.tif 000003
【図２】
2005188068.tif 000004
【図３】
2005188068.tif 000005
【図４】
2005188068.tif 000006
【図５】
2005188068.tif 000007
【図６】
2005188068.tif 000008
【図７】
2005188068.tif 000009